(57)【要約】【課題】受け皿内の遊技媒体が取り出しやすくなり、かつ、遊技媒体の払出量に関して遊技者が得をしたと感じる機会を増やすことが可能なもの、及びそれを備えた遊技機を提供する。また、遊技媒体の飛び出しを防止する。【解決手段】遊技機の受け皿内に上げ底部材１０を配置して、メダル受け皿の底の深さを調整する。例えば、スロットマシン１のメダル受け皿２２に上げ底部材１０を配置して、メダル受け皿２２の底の深さを浅くする。また、上げ底部材１０の上面を、衝撃吸収材からなるようにする。【選択図】図２
2007111124.tif 000002
【特許請求の範囲】
【請求項１】
遊技機において払出された遊技媒体を貯留するための受け皿内に配置され、前記受け皿の深さを調整する上げ底部材。
【請求項２】
前記上げ底部材は、前記遊技機の後方から前方に下り傾斜した状態に配置されることを特徴とする請求項１記載の上げ底部材。
【請求項３】
前記上げ底部材は、上面部が衝撃吸収材からなることを特徴とする請求項１又は２記載の上げ底部材。
【請求項４】
前記衝撃吸収材の表面には、遊技媒体との間の摩擦を減少させるための塗装が施されていることを特徴とする請求項３記載の上げ底部材。
【請求項５】
前記上げ底部材の上面には、前記遊技機の遊技に関する情報が記載されていることを特徴とする請求項１から４のいずれか記載の上げ底部材。
【請求項６】
前記上げ底部材の上面には、前記遊技機の外観を形成する筐体に関連したデザインが施されていることを特徴とする請求項１から５のいずれか記載の上げ底部材。
【請求項７】
請求項１から６のいずれか記載の上げ底部材を受け皿内に着脱可能に配置してなることを特徴とする遊技機。
【発明の詳細な説明】
【技術分野】
【０００１】
本発明は、パチンコ機やスロットマシンに代表される遊技機の受け皿周辺に用いられる部材に関する。
【背景技術】
【０００２】
一般に、パチンコ機やスロットマシンに代表される遊技機においては、役の成立に関する内部抽選により当選し、当選役を示す図柄が所定の態様で停止して入賞すると、遊技媒体が払出され、払出された遊技媒体は遊技機前面下部に設けられた受け皿に貯留される。
【０００３】
例えば、スロットマシンにおいては、遊技者がメダルを投入した後、始動レバーを操作することによって遊技が開始され、各回転リールが回転し始める。このとき、役の成立に関するに内部抽選が行われる。その後、遊技者がストップボタンを押すと、回転リールが停止し、表示窓に図柄が表示される。表示された図柄が、所定の組み合わせからなる当選図柄で並んでいると、入賞となり、当選図柄の組み合わせに応じた数のメダルがメダル払出口から受け皿へと払い出される（例えば、特許文献１参照）。
【０００４】
この受け皿は、一般に、１，２回の「大当たり」により払い出されるメダルを貯留し得る程度の容量となっており、受け皿がメダルで一杯になったときや、遊技をやめるときには、受け皿内のメダルを手で取り出して、別途用意されているメダル貯留箱への移し替えを行っている。遊技者は、メダルをメダル貯留箱へ移動させることで、メダル払出量が多いと感じ、得をした気分になる。
【０００５】
【特許文献１】特開２００２−３０６６７４号公報（第２図）
【発明の開示】
【発明が解決しようとする課題】
【０００６】
しかしながら、従来の遊技機には、受け皿の底の深さが深いものもあり、遊技中又は遊技をやめるときに、受け皿の遊技媒体が取り出し難いことがあった。また、底の深い受け皿をもつ遊技機では、かなりの量の遊技媒体が払い出されなければ、受け皿が一杯にならないことから、遊技者が得をしたと感じる機会が少なかった。
【０００７】
本発明は、このような問題を解決するためになされたものであり、その目的は、受け皿内の遊技媒体が取り出しやすくなり、かつ、遊技媒体の払出量に関して遊技者が得をしたと感じる機会を増やすことが可能なもの、及びそれを備えた遊技機を提供することにある。
【課題を解決するための手段】
【０００８】
以上のような課題を解決するために、本発明は、以下のものを提供する。
【０００９】
（１）  遊技機において払出された遊技媒体を貯留するための受け皿内に配置され、前記受け皿の深さを調整する上げ底部材。
【００１０】
本発明によれば、遊技機の受け皿内に、受け皿の深さを調整する上げ底部材が配置されていることとしたので、受け皿内の遊技媒体の貯留数が結果的に少なくなり、ひいては遊技媒体を取り出しやすくすることができる。
【００１１】
また、遊技機の受け皿内に上述した上げ底部材を配置して、受け皿の底の深さを浅くし、受け皿内の遊技媒体の貯留数を少なくすることによって、例えば１回の「大当たり」による払出でも受け皿が一杯になることから、遊技者に対し、遊技媒体を貯留箱へ移動させる機会を頻繁に与えることができる。その結果、その遊技者は、遊技媒体の払出量が多いと感じ、優越感に浸ることができる。
【００１２】
ここで、本発明に係る「上げ底部材」は、大きさ・形状・材質等の如何を問わない。すなわち、受け皿の深さを調整しうるものであれば、如何なるものであっても構わない。
【００１３】
（２）  前記上げ底部材は、前記遊技機の後方から前方に下り傾斜した状態に配置されることを特徴とする（１）記載の上げ底部材。
【００１４】
本発明によれば、上述した上げ底部材は、遊技機の後方から前方に下り傾斜した状態に配置されることとしたから、受け皿の底は、遊技者に近くなるにつれて深くなる。その結果、受け皿内の遊技媒体は遊技者の近くに集まるため、遊技者は、受け皿内の遊技媒体をより容易に取り出すことができる。
【００１５】
（３）  前記上げ底部材は、上面部が衝撃吸収材からなることを特徴とする（１）又は（２）記載の上げ底部材。
【００１６】
本発明によれば、上述した上げ底部材は、その上面部が衝撃吸収材からなることとしたから、遊技媒体の払出時の騒音を軽減することができる。また、受け皿から遊技媒体が飛び出すのを減少させることができる。
【００１７】
ここで、「衝撃吸収材」には、例えばスポンジやラバーなど、遊技媒体落下時の衝撃を吸収することのできるものであれば、如何なるものであってもよい。
【００１８】
（４）  前記衝撃吸収材の表面には、遊技媒体との間の摩擦を減少させるための塗装が施されていることを特徴とする（３）記載の上げ底部材。
【００１９】
本発明によれば、衝撃吸収材の表面には、遊技媒体との間の摩擦を減少させるための塗装が施されていることとしたから、遊技者は、受け皿内の遊技媒体をより容易に取り出すことができる。
【００２０】
（５）  前記上げ底部材の上面には、前記遊技機の遊技に関する情報が記載されていることを特徴とする（１）から（４）のいずれか記載の上げ底部材。
【００２１】
本発明によれば、上述した上げ底部材の上面には、遊技機の遊技に関する情報が記載されていることとしたから、遊技者は、リーチ目や役ごとの遊技媒体払出数など、遊技に関する具体的な情報を得つつ、受け皿内の遊技媒体を容易に取り出すことができる。
【００２２】
（６）  前記上げ底部材の上面には、前記遊技機の外観を形成する筐体に関連したデザインが施されていることを特徴とする（１）から（５）のいずれか記載の上げ底部材。
【００２３】
本発明によれば、上述した上げ底部材の上面には、遊技機の外観を形成する筐体に関連したデザインが施されていることとしたから、上げ底部材の上面を、遊技機の外観に合わせてデザインすることにより、遊技機のデザイン性及び宣伝広告効果を高めることができる。
【００２４】
（７）  （１）から（６）のいずれか記載の上げ底部材を受け皿内に着脱可能に配置してなることを特徴とする遊技機。
【００２５】
本発明によれば、遊技機の受け皿内に、上述した上げ底部材を着脱可能に配置することとしたから、遊技中又は遊技終了時などに受け皿内の遊技媒体を容易に取り出すことができ、また、遊技媒体の払出量に関して遊技者が得をしたと感じる機会を増やすことが可能な遊技器を提供することができる。
【発明の効果】
【００２６】
以上説明したように、本発明は、遊技機の受け皿内に、受け皿の深さを調整する上げ底部材が配置されていることとしたので、受け皿内の遊技媒体の貯留量を少なくして、受け皿内の遊技媒体を取り出しやすくすることができ、かつ、遊技媒体の払出量に関して遊技者が得をしたと感じる機会を増やすことができる。
【発明を実施するための最良の形態】
【００２７】
以下、本発明の実施の形態を、図面を参照しながら説明する。
【００２８】
図１は、本発明の実施の形態に係るスロットマシン１の外観構成を示す図である。なお、以下の説明においては、本発明の実施の形態に係る遊技機としてスロットマシンを採用した場合を例にとって説明するが、例えばパチンコ機を採用することもできる。
【００２９】
図１において、スロットマシン１は、前面が開放している箱形形状を有している筐体２と、この筐体２に対して開閉自在に取り付けられている前扉３とを備えており、前扉３の中央部正面には、正面パネル４が装着されている。この正面パネル４には、筐体２内の３つの回転リール６Ｌ，６Ｃ，６Ｒを観察するための表示窓５が設けられている。
【００３０】
正面パネル４の下には、操作部２３が設けられている。この操作部２３の上面右側にはメダル投入口２４が、上面左側にはベットボタン２５が配置されている。操作部２３の正面には、回転リール６Ｌ，６Ｃ，６Ｒの回転を停止させるボタン２７Ｌ，２７Ｃ，２７Ｒが、各回転リールに対応して配置され、その左側には、始動レバー２６が配置されている。また、前扉３の下部には、メダル払出口２１及びメダル受け皿２２が設けられている。
【００３１】
メダル投入口１３へメダルが投入されるか、又は、ベットボタン２５が押されて、メダルの枚数が設定された後、始動レバー２６が操作されると、遊技が開始され、各回転リール６Ｌ，６Ｃ，６Ｒが一斉に回転し始める。その後、各停止ボタン２７Ｌ，２７Ｃ，２７Ｒを押すと、その操作に対応する回転リールが停止する。全回転リール６Ｌ，６Ｃ，６Ｒの回転が停止したときに、表示窓５に表示される各回転リールの図柄が所定の組み合わせになったときに、所定枚数のメダルが払出口２１からメダル受け皿２２へ払い出される。
【００３２】
ここで、説明の便宜上、図１では省略しているが、本実施形態に係るスロットマシン１のメダル受け皿２２内には、受け皿の深さを調整する上げ底部材１０が配置されている（図２参照）。図２に示す上げ底部材１０について、図３及び図４を用いて詳細に説明する。
【００３３】
図３は、本発明の実施の形態に係る上げ底部材１０を斜めから見たときの斜視図である。図４は、本発明の実施の形態に係る上げ底部材１０を縦方向に切断したときの断面図である。
【００３４】
図３及び図４において、上げ底部材１０は、その上面部が、衝撃吸収材１１からなっており、その衝撃吸収材１１の表面には、メダルとの間の摩擦を減少させるための塗装１２が施されている。衝撃吸収材１１は、スポンジやラバーの他、遊技媒体の落下による衝撃を吸収することができる。
【００３５】
図５は、上げ底部材１０をスロットマシン１のメダル受け皿２２に配置した状態で、縦方向に切断したときの断面図である。
【００３６】
図５において、上げ底部材１０は、スロットマシン１のメダル受け皿２２内に、スロットマシン１の後方から前方に下り傾斜した状態に配置されている。メダル払出口２１から払出されたメダルは、メダル受け皿２２内に配置された上げ底部材１０の上面部（衝撃吸収材１１）に落下する。落下による衝撃は、衝撃吸収材１１によって吸収されるため、衝撃音が抑えられるとともに、メダルの跳ね返りによる飛び出しを少なくすることができる。また、上げ底部材１０の上部表面には、摩擦を減少させるための塗装１２が施されており、メダルの跳ね返りによる飛び出しをより少なくすることができる。
【００３７】
ここで、図６に示すように、上げ底部材１０が配置されたメダル受け皿２２（図６（ａ）参照）は、上げ底部材１０が配置されていないメダル受け皿２２（図６（ｂ）参照）と比べて、その貯留量が少なくなる。例えば、上げ底部材１０を用いずに、メダル受け皿２２を一杯にするためには８００枚のメダルが必要であったところ（図６（ｂ））、本実施形態に係る上げ底部材１０を用いれば、５００枚のメダルで、メダル受け皿２２を一杯にすることができる（図６（ａ））。なお、メダル受け皿２２に貯留されたメダルは、上げ底部材１０の傾斜により自然に遊技者側に集められる（図６（ａ）参照）。
【００３８】
以上説明したように、本実施形態に係る上げ底部材１０によれば、受け皿内の遊技媒体の貯留量を少なくして、受け皿内の遊技媒体を取り出しやすくすることができる。また、遊技媒体の払出量に関して遊技者が得をしたと感じる機会を増やすことができる。
【００３９】
なお、図７に示すように、上げ底部材１０には、リーチ目が記載されている。これにより、上げ底部材１０の上面スペースを有効利用して、遊技者に、遊技に関する有益な情報を与えることができる。また、図７ではリーチ目が記載されているが、例えば、上げ底部材１０の上面は、スロットマシン１の外観を形成する筐体に関連したデザインが施されていてもよい。上げ底部材１０の上面を、スロットマシン１の外観に合わせてデザインすることにより、スロットマシン１のデザイン性及び広告宣伝効果を高めることができる。なお、上げ底部材１０の上面の表示は、上記態様に限るものではなく、製造メーカ名や店舗の広告など、如何なるものを表示してもよい。
【００４０】
［変形例］
図８から図１１は、本発明の他の実施の形態に係る上げ底部材１０を示す図である。各々の図の（ａ）は、上げ底部材１０を斜めから見た様子を示しており、各々の図の（ｂ）は、上げ底部材１０をスロットマシン１のメダル受け皿２２に配置した状態を示している。
【００４１】
図８に示す上げ底部材１０は、スロットマシン１の後方から前方に下り傾斜し、その中央部分は一部水平になっている。この形状により、遊技媒体は遊技者側に集められる一方で、その多くは中央の水平部分に留まることとなる。
【００４２】
図９に示す上げ底部材１０は、スロットマシン１の前方及び後方が浅く、中央よりもやや前方が最も深い形状となっている。この形状により、遊技媒体はやや前方の、遊技者から見える位置に集められることとなる。
【００４３】
図１０に示す上げ底部材１０は、スロットマシン１の後方及び左右から前方中央部に向けて下り傾斜し、前方中央部が最も深い形状となっている。この形状により、遊技媒体は遊技者側の中央部分に集められる。なお、図１０（ｂ）は、図８（ｂ）及び図９（ｂ）とは異なり、横方向に切断したときの断面図を示している。
【００４４】
図１１に示す上げ底部材１０は、スロットマシン１の後方及び左方から右前方に向けて下り傾斜し、右前方が最も深い形状となっている。この形状により、遊技媒体は遊技者側の右方部分に集められる。なお、図１１（ｂ）は、図８（ｂ）及び図９（ｂ）とは異なり、横方向に切断したときの断面図を示している。
【００４５】
以上説明したように、上げ底部材１０は、例えば図８〜図１１に示す形態（形状）とすることも可能である。なお、本発明は、これらの形態に限定されるものではなく、遊技者が遊技媒体を取り出しやすいものであれば、如何なる形態であってもよい。また、上げ底部材１０は、例えば四角柱であってもよい。
【産業上の利用可能性】
【００４６】
本発明に係る上げ底部材及び遊技機は、受け皿内の遊技媒体が取り出しやすくなり、かつ、遊技媒体の払出量に関して遊技者が得をしたと感じる機会を増やすことができるものとして有用である。
【図面の簡単な説明】
【００４７】
【図１】本発明の実施の形態に係るスロットマシンの外観構成を示す図である。
【図２】本発明に係る上げ底部材がスロットマシンに配置されている様子を示す図である。
【図３】本発明の実施の形態に係る上げ底部材を斜めから見たときの斜視図である。
【図４】本発明の実施の形態に係る上げ底部材を縦方向に切断したときの断面図である。
【図５】上げ底部材をスロットマシンのメダル受け皿に配置した状態で、縦方向に切断したときの断面図である。
【図６】メダル受け皿に遊技媒体を貯留した状態を示す図である。
【図７】メダル受け皿の上面に遊技に関する情報が記載された上げ底部材の斜視図である。
【図８】本発明の他の実施の形態に係る上げ底部材を示す図である。
【図９】本発明の他の実施の形態に係る上げ底部材を示す図である。
【図１０】本発明の他の実施の形態に係る上げ底部材を示す図である。
【図１１】本発明の他の実施の形態に係る上げ底部材を示す図である。
【符号の説明】
【００４８】
１  スロットマシン
２  筐体
３  前扉
４  正面パネル
５  表示窓
６Ｌ，６Ｃ，６Ｒ  回転リール
１０  上げ底部材
１１  衝撃吸収材
１２  塗装（潤滑剤）
２１  メダル払出口
２２  メダル受け皿
２３  操作部
２４  メダル投入口
２５  ベットボタン
２６  始動レバー
２７Ｌ，２７Ｃ，２７Ｒ  停止ボタン
【図１】
2007111124.tif 000003
【図４】
2007111124.tif 000004
【図５】
2007111124.tif 000005
【図６】
2007111124.tif 000006
【図７】
2007111124.tif 000007
【図２】
2007111124.tif 000008
【図３】
2007111124.tif 000009
【図８】
2007111124.tif 000010
【図９】
2007111124.tif 000011
【図１０】
2007111124.tif 000012
【図１１】
2007111124.tif 000013